(57)【要約】【課題】    施工時の手間が軽減され、清掃もし易く、且つデザインの優れた折り戸を提供する。【解決手段】  蝶番１０を介して複数枚の戸板１が折り畳み自在に連結される折り戸Ａであって、上下方向において対向する二つの厚物部材２と一つの薄物部材３を必須構成とする戸板１において、前記双方の厚物部材２の対向端部４が表面側において、手指の入る間隔を隔てて対向するように前記薄物部材３によって固定一体化されると共に、前記少なくとも一方の厚物部材２の対向端部４の表面側が上下方向突出して形成された引き手部５を有する。【選択図】  図３
2009052207.tif 000002
【特許請求の範囲】
【請求項１】
蝶番を介して複数枚の戸板が折り畳み自在に連結される折り戸であって、前記戸板は上下方向または左右方向において対向する二つの厚物部材と一つの薄物部材を必須構成とし、前記双方の厚物部材の対向端部が表面側において所定の間隔を隔てて対向するように前記薄物部材によって固定一体化されると共に、前記少なくとも一方の厚物部材の対向端部の表面側が上下方向または左右方向に突出して形成された引き手部を有することを特徴とする折り戸。
【請求項２】
戸板の高さ方向略中央付近において、上側厚物部材と下側厚物部材が手指の入る間隔を隔てて上下方向に対向するように薄物部材によって固定一体化されると共に、上側厚物部材の対向端部の表面側が下方に突出して形成された引き手部を有することを特徴とする請求項１に記載の折り戸。
【請求項３】
中央側厚物部材と外側厚物部材が戸板の左右端で対向するように薄物部材によって固定一体化されると共に、中央側厚物部材の対向端部の表面側が左右方向に突出して形成された引き手部を有することを特徴とする請求項１に記載の折り戸。
【発明の詳細な説明】
【技術分野】
【０００１】
本発明は、収納や間仕切り等の扉として用いることができる折り戸に関するものである。
【背景技術】
【０００２】
従来より、収納や間仕切り等の扉として、開口間口が大きくとれると共に開閉時に大きなスペースをとらないために、折り戸が広く用いられている。折り戸を開閉するために例えば図１４（特許文献１）や図１５（特許文献２）に見られるように、扉に把手を設けたものが一般的であるが、施工現場で把手を取り付ける手間があり、扉面から大きく突出しているため狭い場所ではじゃまになると共に清掃もし難く、外観の意匠性も限定される。
【０００３】
また、図１６に示すように扉表面よりも突出しないように木製の桟材からなる手掛り部１１を設けることもできるが、狭い場所でじゃまにはならないものの、凹凸形状の段差になっているのでほこりが溜まり易いうえに溜まったほこりも目立ち易く清掃もし難く、外観の意匠性も限定される。
【０００４】
図１７（特許文献３）は、これらの問題点を解決したものであるが、蝶番１０によって２枚の戸板１Ａ、１Ｂが連結される縦側縁１２の中央部分内側が手掛り部１２Ａになっているため、手指が入る十分な隙間が必要であり、外観上折り戸の中央に大きな隙間ができるため、そこから戸板の継目１３が見えるという意匠上の問題が発生する。
【特許文献１】意匠登録第１１９０７６４号公報
【特許文献２】意匠登録第１２７３５５４号公報
【特許文献３】特開２００６−２２６０７９号公報
【発明の開示】
【発明が解決しようとする課題】
【０００５】
本発明は、かかる問題点に鑑みなされたもので、施工時の手間が軽減され、清掃もし易く、且つデザインの優れた折り戸を提供することを目的とする。
【課題を解決するための手段】
【０００６】
上記目的を達成するために、請求項１に係る発明の折り戸は、蝶番を介して複数枚の戸板が折り畳み自在に連結される折り戸であって、前記戸板は上下方向または左右方向において対向する二つの厚物部材と一つの薄物部材を必須構成とし、前記双方の厚物部材の対向端部が表面側において所定の間隔を隔てて対向するように前記薄物部材によって固定一体化されると共に、前記少なくとも一方の厚物部材の対向端部の表面側が上下方向または左右方向に突出して形成された引き手部を有することを特徴とする。
【０００７】
また、請求項２に係る発明の折り戸は、請求項１に記載の発明の折り戸において、戸板の高さ方向略中央付近において、上側厚物部材と下側厚物部材が手指の入る間隔を隔てて上下方向に対向するように薄物部材によって固定一体化されると共に、上側厚物部材の対向端部の表面側が下方に突出して形成された引き手部を有することを特徴とする。
【０００８】
さらに、請求項３に係る発明の折り戸は、請求項１に記載の発明の折り戸において、中央側厚物部材と外側厚物部材が戸板の左右端で対向するように薄物部材によって固定一体化されると共に、中央側厚物部材の対向端部の表面側が左右方向に突出して形成された引き手部を有することを特徴とする。
【発明の効果】
【０００９】
請求項１に係る発明によれば、厚物部材の少なくとも一方の対向端部の表面側が上下方向または左右方向に突出して形成された引き手部を有するので、施工現場で把手を付ける必要はなく、戸板と引き手が一体化することとなって外部へ突出する部分がないため、じゃまにならず清掃もし易く外観の意匠性に優れた折り戸が得られる。
【００１０】
また、請求項２に記載の発明によれば、請求項１に記載の発明の折り戸において、上側厚物部材の対向端部の表面側が下方に突出して形成された引き手部を有するので引き手として使用できる一方で、下側厚物部材はフラットな形状となり、請求項１に記載の発明の効果に加えて、ほこりが溜まり難く清掃がし易い。
【００１１】
さらに、請求項３に記載の発明によれば、請求項１に記載の発明の折り戸において、戸板の左右端で対向する二つの厚物部材のうち、中央側厚物部材の対向端部の表面側が突出して形成された引き手部を有するので、請求項１に記載の発明の効果に加えて、引き手部が上下方向に連続して形成され、大人子供や身長の高さに関係なく最適な位置で引き手を持ち開閉作業ができると共に、従来品のように中央部に大きな隙間ができて戸板の継目が見えるという意匠上の問題も発生することはない。
【発明を実施するための最良の形態】
【００１２】
以下、本発明を実施するための実施形態を図面に基づき説明する。尚、本発明は本実施形態の記載内容に限られるものではない。
【００１３】
初めに本発明の第１実施形態にかかる折り戸Ａについて、図１ないし図４を用いて説明する。折り戸Ａは２枚の戸板１が蝶番１０により折り畳み自在に連結されている。そして、戸板１において、厚物部材２はその対向端部４の表面側が所定の間隔（手の指先が入る程度）を隔てて対向するように、裏面側で上下の厚物部材２が薄物部材３によって固定一体化されているが、本実施形態によると、上側厚物部材２１と下側厚物部材２２の双方共に裏面側に薄物部材３の厚み分の切り欠きを設け、薄物部材３を釘、ビス、接着剤等を適宜併用しながら固定することで、薄物部材３と厚物部材２とを裏面側で面一に固定できる。なお、薄物部材３は上下の厚物部材２の間から見える部分であり、少なくともその表面側は塗装やシート貼り等で化粧されている。
【００１４】
上側厚物部材２１と下側厚物部材２２の対向端部４双方の間隔は、折り戸Ａを開閉するために指先が入る程度に設けられており、対向端部４の表面側が下方に突出して形成された引き手部５を有する。引き手部は指先が引っかかれば良く、形状は特に限定されるものではなく対向端部４の表面側が裏面側よりも下方に突出する形状であれば良い。本実施形態では、上側厚物部材２１の表面側が下方に突出して引き手部５を形成しているので手の指先を引っ掛けて引き手として使用できる一方で、下側厚物部材２２の対向端部４はフラットな形状のためほこりが溜まり難く清掃がし易い。
【００１５】
引き手部５は、普通の大人が開閉し易い高さ位置に設けられ、通常は戸板１の高さ方向略中央付近に設けられるが、本発明の引き手部５は従来の把手と異なり戸板１と一体化された意匠で外観上目立たないため、戸板１の高さ方向数箇所に引き手部５を設けることができるので、大人、子供、身長の高さの違いがあっても対応でき、図５に示すように意匠上も全く違和感のない折り戸Ａが得られる。
【００１６】
厚物部材２は基材２Ａと化粧材２Ｂからなり、基材２Ａは、合板、ＬＶＬ、パーティクルボード、ＭＤＦ、集成材、材木或いはそれらの複合物等の木質材料や、火山性ガラス質複層板（大建工業製：商品名ダイライト）、珪酸カルシウム板等の無機質板、或いは金属板等を用いることができ、化粧材２Ｂは、合成樹脂化粧シート、化粧紙、突板、塗膜等を用いることができる。基材２Ａが化粧性を有する場合は化粧材２Ｂを設ける必要がなく基材２Ａだけで構成される場合もある。また、薄物部材３は合板等の木質材、樹脂板、金属板等薄くて強度の大きい部材が用いられる。なお、本実施形態では、厚物部材２の左右両端は縦枠材６を設けた構造になっているが、縦枠材６自体は特に必須の構成ではなく、強度上の問題が無ければ縦枠材６がなくても良い。
【００１７】
厚物部材２は前記実施形態のように上側厚物部材２１と下側厚物部材２２とをそれぞれ一枚物として使用する以外にも、図６、７に示すように引き手部５の近傍のみに厚物部材２を部分的に使用することができる。すなわち、引き手部５を挟んで両側に上側厚物部材２１と下側厚物部材２２が薄物部材３によって固定一体化されていたら良い。それ以外の部分については、桟材８を介して表裏面に化粧板７を設けた構造にしても良い。これによって折り戸の内部を空洞にして軽量化を図ることができる。
【００１８】
図７に示すように、上側厚物部材２１と下側厚物部材２２の双方の対向端部４に薄物部材３の厚みに相当する溝を設け、薄物部材３を差込み接着固定しているが、前記実施形態（図４）と同様に薄物部材３は裏面側に設けても良く、表面側に指先が入る空間を設けることができれば、上下の厚物部材２と薄物部材３の接合構造は特に限定されない。
【００１９】
上側厚物部材２１の引き手部５は、手指が引っ掛かり易いようにアール形状に切削しているが、斜め形状等手指が引っ掛かれば特に形状は限定されない。
【００２０】
これら第１実施形態にかかる折り戸Ａの戸板１の変形例を図８ないし図１１に示す。引き手部５以外の部分については、図４及び図７に示す構造と同じなので、特に説明は加えない。
【００２１】
図８ないし図９に示す戸板１には、下側厚物部材２２の対向端部４にも上側厚物部材２１の対向端部４に形成された引き手部５と同様の引き手部５がほぼ対称形で形成されている。これによって、上側だけでなく下側にも手指を引っ掛けることができるので、身長の低い子供でもより開閉がし易くなる。
【００２２】
図１０ないし図１１に示す戸板１の、引き手部５は前記変形例と異なり、下側厚物部材２２の対向端部４が上側厚物部材２１の対向端部４と同方向に傾斜することで、手指を斜め方向に差し込むことができ、上側厚物部材２１と下側厚物部材２２の双方の対向端部４の間隔をより狭くすることができるので、薄物部材３が外から目立ち難くなると共に下側厚物部材２２の対向端部４にもほこりが溜まり難くなる。
【００２３】
次に本発明の第２実施形態について、図１２ないし図１３を用いて説明する。本実施形態の折り戸Ａは、戸板１の左右両端に二つの厚物部材２（中央側厚物部材２３、外側厚物部材２４）が薄物部材３を介して対向する構造である。
【００２４】
本実施形態では、戸板１は薄物部材３の左右に長尺枠体からなる厚物部材２を固定一体化したもので、厚物部材２は中央側厚物部材２３と外側厚物部材２４とからなり、２枚の隣り合う戸板１の中央側厚物部材２３が蝶番１０で連結されて折り戸Ａが形成される。
【００２５】
中央側厚物部材２３の対向端部４の表面側が突出して形成された引き手部５を有することで、上下に伸びる長尺枠体からなる中央側厚物部材２３の上下方向の任意の部分に手を掛けることができるので、大人、子供、身長差に関係なく折り戸Ａの開閉作業を行うことができる。また、引き手部５にはほこりが溜まり難く清掃もし易い。なお、２枚の戸板が中央で折れる折戸の構造から引き手部５を外側厚物部材２４に設けることはできない。
【００２６】
上記戸板１は、図１２に示すように薄物部材３の表面側に化粧溝を設けているが、フラットな表面でも任意の模様を形成してもかまわない。また、厚物部材２、薄物部材３の材料としては、前記段落番号００１６に記載のものが利用できる。
【産業上の利用可能性】
【００２７】
本発明は収納や間仕切り等の扉として用いることができる折り戸に関するものであるが、通常の住宅で用いるドアや家具用扉等にも使用することができる。
【図面の簡単な説明】
【００２８】
【図１】本発明の第1実施形態を示す折り戸の正面図。
【図２】本発明の第1実施形態を示す折り戸の開状態を示す参考図。
【図３】本発明の第1実施形態を示す折り戸の引き手部を示す参考図。
【図４】本発明の第1実施形態を示す折り戸の引き手部の縦断面図。
【図５】本発明の第1実施形態の変形例を示す折り戸の正面図。
【図６】本発明の別の第1実施形態を示す折り戸の引き手部を示す参考図。
【図７】本発明の別の第1実施形態を示す折り戸の引き手部の縦断面図。
【図８】本発明の第1実施形態の変形例を示す折り戸の引き手部の縦断面図。
【図９】本発明の第1実施形態の別の変形例を示す折り戸の引き手部の縦断面図。
【図１０】本発明の第1実施形態の別の変形例を示す折り戸の引き手部の縦断面図。
【図１１】本発明の第1実施形態の別の変形例を示す折り戸の引き手部の縦断面図。
【図１２】本発明の第２実施形態を示す折り戸の引き手部を示す参考図。
【図１３】本発明の第２実施形態を示す折り戸の横断面図。
【図１４】従来の把手付き折り戸の正面図。
【図１５】従来の別の把手付き折り戸の正面図。
【図１６】従来の木製の桟材からなる手掛り部を設けた折り戸の部分斜視図。
【図１７】従来の中央部分に手掛り部を設けた折り戸の部分断面要部斜視図。
【符号の説明】
【００２９】
Ａ                    折り戸
１                    戸板
２                    厚物部材
３                    薄物部材
４                    対向端部
５                    引き手部
１０                  蝶番
【図１】
2009052207.tif 000003
【図２】
2009052207.tif 000004
【図３】
2009052207.tif 000005
【図４】
2009052207.tif 000006
【図５】
2009052207.tif 000007
【図６】
2009052207.tif 000008
【図７】
2009052207.tif 000009
【図８】
2009052207.tif 000010
【図９】
2009052207.tif 000011
【図１０】
2009052207.tif 000012
【図１１】
2009052207.tif 000013
【図１２】
2009052207.tif 000014
【図１３】
2009052207.tif 000015
【図１４】
2009052207.tif 000016
【図１５】
2009052207.tif 000017
【図１６】
2009052207.tif 000018
【図１７】
2009052207.tif 000019